(57)【要約】【課題】着信した発呼者情報を有効に活用することができる電話装置を提供することを目的とする。【解決手段】公衆網に接続された回線インタフェース部と、回線インタフェース部を介して着信した発呼者識別番号を着信履歴データとして記憶する音声通話用着信履歴記憶部と、データの入力等を行う操作部と、表示部と、全体を制御する制御部１とを有する電話装置であって、制御部１は、文字メッセージ送信モードにおいて文字メッセージの入力を完了した後に操作部の着信履歴検索ボタンが押下された場合着信履歴データの示す発呼者識別情報を宛先として設定する宛先設定手段１１１と、設定した発呼者識別情報の宛先に文字メッセージを送信する送信手段１１２とを有する。【選択図】　図２
2004023702.tif 000002
【特許請求の範囲】
【請求項１】
公衆網に接続された回線インタフェース部と、前記回線インタフェース部を介して着信した発呼者識別情報を着信履歴データとして記憶する音声通話用着信履歴記憶部と、データの入力等を行う操作部と、表示部と、全体を制御する制御部とを有する電話装置であって、
前記制御部は、文字メッセージ送信モードにおいて文字メッセージの入力を完了した後に前記操作部の着信履歴検索ボタンが押下された場合前記着信履歴データの示す発呼者識別情報を宛先として設定する宛先設定手段と、前記設定した発呼者識別情報の宛先に前記文字メッセージを送信する送信手段とを有することを特徴とする電話装置。
【請求項２】
公衆網に接続された回線インタフェース部と、前記回線インタフェース部を介して着信した発呼者識別情報を着信履歴データとして記憶する音声通話用着信履歴記憶部と、データの入力等を行う操作部と、表示部と、全体を制御する制御部とを有する電話装置であって、
前記制御部は、文字メッセージ送信モードにおいて文字メッセージの入力を完了した後に前記操作部の着信履歴検索ボタンが押下されたか否かを判定する着信履歴検索ボタン押下判定手段と、前記着信履歴検索ボタンが押下されたと判定したときは着信履歴データを検索する着信履歴検索手段と、前記検索した着信履歴データを順次に表示する表示手段と、前記操作部の発呼ボタンの押下を判定する発呼ボタン押下判定手段と、前記発呼ボタンが押下されたと判定したときは前記着信履歴データの示す発呼者識別情報を宛先として設定する宛先設定手段と、前記設定した発呼者識別情報の宛先に前記文字メッセージを送信する送信手段とを有することを特徴とする電話装置。
【請求項３】
前記制御部は、前記操作部の文字メッセージ送信モードボタンが押下されたか否かを判定する文字メッセージ送信モードボタン押下判定手段と、前記文字メッセージ送信モードボタンが押下されたと判定したときは文字メッセージ送信モードに移行させる遷移手段と、前記文字メッセージ送信モードにおいて文字メッセージの入力が完了したか否かを判定する入力完了判定手段とを有することを特徴とする請求項２に記載の電話装置。
【請求項４】
公衆網に接続された回線インタフェース部と、前記回線インタフェース部を介して着信した発呼者識別情報を着信履歴データとして記憶する音声通話用着信履歴記憶部と、データの入力等を行う操作部と、表示部と、全体を制御する制御部とを有する電話装置であって、
前記制御部は、文字メッセージ送信モードにおいて文字メッセージの入力を完了した後に前記操作部の着信履歴検索ボタンが押下されたか否かを判定する着信履歴検索ボタン押下判定手段と、電話帳検索ボタンが押下されたか否かを判定する電話帳検索ボタン押下判定手段と、前記電話帳検索ボタンが押下されたと判定したときは電話帳データを検索し、所望の電話帳データの示す電話番号に対して前記文字メッセージを送信する電話帳処理手段とを有することを特徴とする電話装置。
【請求項５】
公衆網に接続された回線インタフェース部と、前記回線インタフェース部を介して着信した発呼者識別情報を着信履歴データとして記憶する音声通話用着信履歴記憶部と、データの入力等を行う操作部と、表示部と、全体を制御する制御部とを有する電話装置における電話方法であって、
文字メッセージ送信モードにおいて文字メッセージの入力を完了した後に前記操作部の着信履歴検索ボタンが押下された場合前記着信履歴データを検索する検索ステップと、前記着信履歴データの示す発呼者識別情報を宛先として設定する宛先設定ステップと、前記設定した発呼者識別情報の宛先に前記文字メッセージを送信する送信ステップとを有することを特徴とする電話方法。
【請求項６】
公衆網に接続された回線インタフェース部と、前記回線インタフェース部を介して着信した発呼者識別情報を着信履歴データとして記憶する音声通話用着信履歴記憶部と、データの入力等を行う操作部と、表示部と、全体を制御する制御部とを有する電話装置における電話方法であって、
文字メッセージ送信モードにおいて文字メッセージの入力を完了した後に前記操作部の着信履歴検索ボタンが押下されたか否かを判定する着信履歴検索ボタン押下判定ステップと、前記着信履歴検索ボタンが押下されたと判定したときは着信履歴データを検索する着信履歴検索ステップと、前記検索した着信履歴データを順次表示する表示ステップと、前記表示した発呼者識別情報の中に所望の発呼者識別情報が有る場合に押下される前記操作部の発呼ボタンの押下を判定する発呼ボタン押下判定ステップと、前記発呼ボタンが押下されたと判定したときは前記着信履歴データの示す発呼者識別情報を宛先として設定する宛先設定ステップと、前記設定した発呼者識別情報の宛先に前記文字メッセージを送信する送信ステップとを有することを特徴とする電話方法。
【請求項７】
前記操作部の文字メッセージ送信モードボタンが押下されたか否かを判定する文字メッセージ送信モードボタン押下判定ステップと、前記文字メッセージ送信モードボタンが押下されたと判定したときは文字メッセージ送信モードに移行させる遷移ステップと、前記文字メッセージ送信モードにおいて文字メッセージの入力が完了したか否かを判定する入力完了判定ステップとを有することを特徴とする請求項６に記載の電話方法。
【請求項８】
公衆網に接続された回線インタフェース部と、前記回線インタフェース部を介して着信した発呼者識別情報を着信履歴データとして記憶する音声通話用着信履歴記憶部と、データの入力等を行う操作部と、表示部と、全体を制御する制御部とを有する電話装置における電話方法であって、
文字メッセージ送信モードにおいて文字メッセージの入力を完了した後に前記操作部の着信履歴検索ボタンが押下されたか否かを判定する着信履歴検索ボタン押下判定ステップと、電話帳検索ボタンが押下されたか否かを判定する電話帳検索ボタン押下判定ステップと、前記電話帳検索ボタンが押下されたと判定したときは電話帳データを検索し、所望の電話帳データの示す電話番号に対して前記文字メッセージを送信する電話帳処理ステップとを有することを特徴とする電話方法。
【請求項９】
請求項５乃至８のいずれか１に記載の電話方法の各ステップを実行するためのプログラムを記録した記録媒体。
【発明の詳細な説明】
【０００１】
【発明の属する技術分野】
本発明は、公衆網に接続された回線インタフェース部と、回線インタフェース部を介して着信した発呼者の電話番号などの発呼者識別情報を着信履歴データとして記憶する音声通話用着信履歴記憶部と、データの入力等を行う操作部と、表示部と、全体を制御する制御部とを有する電話装置、および、その電話装置における電話方法、ならびに、その電話方法を実行するための記録媒体に関するものである。
【０００２】
【従来の技術】
近年、文字メッセージを電話装置から送信したり、電話装置で受信するＳＭＳ（Ｓｈｏｒｔ　Ｍａｉｌ　Ｓｅｒｖｉｃｅ、ショートメールサービス）の利用が盛んになってきている。
【０００３】
このようなＳＭＳを利用する電話装置においては、文字メッセージを送信する宛先を１桁ずつキー入力もしくは電話番号や名前を示す電話帳データから検索し、見つけた所望の電話番号に基づいて文字メッセージを送信する。
【０００４】
【発明が解決しようとする課題】
このように、従来の電話装置では、送信宛先を手入力したり電話帳データから検索するようにしており、着信した発呼者情報が有効に活用されていないという問題点を有していた。
【０００５】
この電話装置、電話方法および記録媒体では、着信した発呼者情報を有効に活用することが要求されている。
【０００６】
本発明は、この要求を満たすため、着信した発呼者情報を有効に活用することができる電話装置、および、着信した発呼者情報を有効に活用するための電話方法、ならびに、その電話方法を実行するための記録媒体を提供することを目的とする。
【０００７】
【課題を解決するための手段】
上記課題を解決するために本発明の電話装置は、公衆網に接続された回線インタフェース部と、前記回線インタフェース部を介して着信した発呼者識別情報を着信履歴データとして記憶する音声通話用着信履歴記憶部と、データの入力等を行う操作部と、表示部と、全体を制御する制御部とを有する電話装置であって、
前記制御部は、文字メッセージ送信モードにおいて文字メッセージの入力を完了した後に前記操作部の着信履歴検索ボタンが押下されたときは前記着信履歴データの示す発呼者識別情報を宛先として設定する宛先設定手段と、前記設定した発呼者識別情報の宛先に前記文字メッセージを送信する送信手段とを有する構成を備えている。
【０００８】
これにより、着信した発呼者情報を有効に活用することができる電話装置が得られる。
【０００９】
上記課題を解決するために本発明の電話方法は、公衆網に接続された回線インタフェース部と、前記回線インタフェース部を介して着信した発呼者識別情報を着信履歴データとして記憶する音声通話用着信履歴記憶部と、データの入力等を行う操作部と、表示部と、全体を制御する制御部とを有する電話装置における電話方法であって、文字メッセージ送信モードにおいて文字メッセージの入力を完了した後に前記操作部の着信履歴検索ボタンが押下された場合、前記着信履歴データを検索する検索ステップと、前記着信履歴データの示す発呼者識別情報を宛先として設定する宛先設定ステップと、前記設定した発呼者識別情報の宛先に前記文字メッセージを送信する送信ステップとを有する構成を備えている。
【００１０】
これにより、着信した発呼者情報を有効に活用するための電話方法が得られる。
【００１１】
上記課題を解決するために本発明の記録媒体は、上記電話方法の各ステップを実行するためのプログラムを記録した構成を備えている。
【００１２】
【発明の実施の形態】
本発明の請求項１に記載の電話装置は、公衆網に接続された回線インタフェース部と、前記回線インタフェース部を介して着信した発呼者識別情報を着信履歴データとして記憶する音声通話用着信履歴記憶部と、データの入力等を行う操作部と、表示部と、全体を制御する制御部とを有する電話装置であって、前記制御部は、文字メッセージ送信モードにおいて文字メッセージの入力を完了した後に前記操作部の着信履歴検索ボタンが押下された場合、前記着信履歴データの示す発呼者識別情報を宛先として設定する宛先設定手段と、前記設定した発呼者識別情報の宛先に前記文字メッセージを送信する送信手段とを有することとしたものである。
【００１３】
この構成により、着信した発呼者情報として発呼者識別情報を記憶し、その記憶した発呼者識別情報を必要に応じて読み出して文字メッセージの宛先として利用することができるので、着信発呼者識別情報を有効に活用することができ、文字メッセージ送信の迅速化を図ることができるという作用を有する。
【００１４】
請求項２に記載の電話装置は、公衆網に接続された回線インタフェース部と、前記回線インタフェース部を介して着信した発呼者識別情報を着信履歴データとして記憶する音声通話用着信履歴記憶部と、データの入力等を行う操作部と、表示部と、全体を制御する制御部とを有する電話装置であって、前記制御部は、文字メッセージ送信モードにおいて文字メッセージの入力を完了した後に前記操作部の着信履歴検索ボタンが押下されたか否かを判定する着信履歴検索ボタン押下判定手段と、前記着信履歴検索ボタンが押下されたと判定したときは着信履歴データを検索する着信履歴検索手段と、前記検索した着信履歴データを順次に表示する表示手段と、前記操作部の発呼ボタンの押下を判定する発呼ボタン押下判定手段と、前記発呼ボタンが押下されたと判定したときは前記着信履歴データの示す発呼者識別情報を宛先として設定する宛先設定手段と、前記設定した発呼者識別情報の宛先に前記文字メッセージを送信する送信手段とを有することとしたものである。
【００１５】
この構成により、着信した発呼者情報として発呼者識別情報を記憶し、その記憶した発呼者識別情報を順次に表示し、所望の発呼者識別情報を見つけたときは発呼ボタンを押すことにより所望の電話番号を宛先として文字メッセージを送信することができるので、着信発呼者識別情報を表示して利用することで有効活用を図ることができ、文字メッセージ送信の迅速化を図ることができるという作用を有する。
【００１６】
請求項３に記載の電話装置は、請求項２に記載の電話装置において、前記制御部は、前記操作部の文字メッセージ送信モードボタンが押下されたか否かを判定する文字メッセージ送信モードボタン押下判定手段と、前記文字メッセージ送信モードボタンが押下されたと判定したときは文字メッセージ送信モードに移行させる遷移手段と、前記文字メッセージ送信モードにおいて文字メッセージの入力が完了したか否かを判定する入力完了判定手段とを有することとしたものである。
【００１７】
この構成により、文字メッセージ送信モードへの移行を円滑に行うことができ、また文字メッセージを確実に入力することができるという作用を有する。
【００１８】
請求項４に記載の電話装置は、公衆網に接続された回線インタフェース部と、前記回線インタフェース部を介して着信した発呼者識別情報を着信履歴データとして記憶する音声通話用着信履歴記憶部と、データの入力等を行う操作部と、表示部と、全体を制御する制御部とを有する電話装置であって、前記制御部は、文字メッセージ送信モードにおいて文字メッセージの入力を完了した後に前記操作部の着信履歴検索ボタンが押下されたか否かを判定する着信履歴検索ボタン押下判定手段と、電話帳検索ボタンが押下されたか否かを判定する電話帳検索ボタン押下判定手段と、前記電話帳検索ボタンが押下されたと判定したときは電話帳データを検索し、所望の電話帳データの示す電話番号に対して前記文字メッセージを送信する電話帳処理手段とを有することとしたものである。
【００１９】
この構成により、着信履歴データとして存在しないと判断される発呼者識別情報の場合には電話帳データの検索に切り替えることができるので、宛先の電話番号を取得する可能性を高めることができるという作用を有する。
【００２０】
請求項５に記載の電話方法は、公衆網に接続された回線インタフェース部と、前記回線インタフェース部を介して着信した発呼者識別情報を着信履歴データとして記憶する音声通話用着信履歴記憶部と、データの入力等を行う操作部と、表示部と、全体を制御する制御部とを有する電話装置における電話方法であって、文字メッセージ送信モードにおいて文字メッセージの入力を完了した後に前記操作部の着信履歴検索ボタンが押下された場合、前記着信履歴データを検索する検索ステップと、前記着信履歴データの示す発呼者識別情報を宛先として設定する宛先設定ステップと、前記設定した発呼者識別情報の宛先に前記文字メッセージを送信する送信ステップとを有することとしたものである。
【００２１】
この構成により、着信した発呼者情報として発呼者識別情報を記憶し、その記憶した発呼者識別情報を必要に応じて読み出して文字メッセージの宛先として利用することができるので、着信発呼者識別情報を有効に活用することができ、文字メッセージ送信の迅速化を図ることができるという作用を有する。
【００２２】
請求項６に記載の電話方法は、公衆網に接続された回線インタフェース部と、前記回線インタフェース部を介して着信した発呼者識別情報を着信履歴データとして記憶する音声通話用着信履歴記憶部と、データの入力等を行う操作部と、表示部と、全体を制御する制御部とを有する電話装置における電話方法であって、文字メッセージ送信モードにおいて文字メッセージの入力を完了した後に前記操作部の着信履歴検索ボタンが押下されたか否かを判定する着信履歴検索ボタン押下判定ステップと、前記着信履歴検索ボタンが押下されたと判定したときは着信履歴データを検索する着信履歴検索ステップと、前記検索した着信履歴データを順次表示する表示ステップと、前記表示した発呼者識別情報の中に所望の発呼者識別情報が有る場合に押下される前記操作部の発呼ボタンの押下を判定する発呼ボタン押下判定ステップと、前記発呼ボタンが押下されたと判定したときは前記着信履歴データの示す発呼者識別情報を宛先として設定する宛先設定ステップと、前記設定した発呼者識別情報の宛先に前記文字メッセージを送信する送信ステップとを有することとしたものである。
【００２３】
この構成により、着信した発呼者情報として発呼者識別情報を記憶し、その記憶した発呼者識別情報を順次に表示し、所望の発呼者識別情報を見つけたときは発呼ボタンを押すことにより所望の発呼者識別情報を宛先として文字メッセージを送信することができるので、着信発呼者識別情報を表示して利用することで有効活用を図ることができ、文字メッセージ送信の迅速化を図ることができるという作用を有する。
【００２４】
請求項７に記載の電話方法は、請求項６に記載の電話方法において、前記操作部の文字メッセージ送信モードボタンが押下されたか否かを判定する文字メッセージ送信モードボタン押下判定ステップと、前記文字メッセージ送信モードボタンが押下されたと判定したときは文字メッセージ送信モードに移行させる遷移ステップと、前記文字メッセージ送信モードにおいて文字メッセージの入力が完了したか否かを判定する入力完了判定ステップとを有することとしたものである。
【００２５】
この構成により、文字メッセージ送信モードへの移行を円滑に行うことができ、また文字メッセージを確実に入力することができるという作用を有する。
【００２６】
請求項８に記載の電話方法は、公衆網に接続された回線インタフェース部と、前記回線インタフェース部を介して着信した発呼者識別情報を着信履歴データとして記憶する音声通話用着信履歴記憶部と、データの入力等を行う操作部と、表示部と、全体を制御する制御部とを有する電話装置における電話方法であって、文字メッセージ送信モードにおいて文字メッセージの入力を完了した後に前記操作部の着信履歴検索ボタンが押下されたか否かを判定する着信履歴検索ボタン押下判定ステップと、電話帳検索ボタンが押下されたか否かを判定する電話帳検索ボタン押下判定ステップと、前記電話帳検索ボタンが押下されたと判定したときは電話帳データを検索し、所望の電話帳データの示す電話番号に対して前記文字メッセージを送信する電話帳処理ステップとを有することとしたものである。
【００２７】
この構成により、着信履歴データとして存在しないと判断される発呼者識別情報の場合には電話帳データの検索に切り替えることができるので、宛先の電話番号を取得する可能性を高めることができるという作用を有する。
【００２８】
請求項９に記載の記録媒体は、請求項５乃至８のいずれか１に記載の電話方法の各ステップを実行するためのプログラムを記録することとしたものである。
【００２９】
この構成により、請求項５乃至８のいずれか１に記載の電話方法を汎用コンピュータを用いて任意の場所で任意の時間に実行することができるという作用を有する。
【００３０】
以下、本発明の実施の形態について、図１〜図３を用いて説明する。
【００３１】
（実施の形態１）
図１は本発明の実施の形態１による電話装置を示すブロック図である。
【００３２】
図１において、１は全体を制御する制御部、２はデータの入力等を行う操作部、３は文字や図形を表示する表示部、４は後述の回線インタフェース部５を介して着信した電話番号などの発呼者識別情報を着信履歴データとして記憶する音声通話用着信履歴記憶部、５は公衆網６に接続された回線インタフェース部である。また、２１は文字メッセージ送信モードへ移行するための文字メッセージ送信モードボタン、２２は着信履歴データを検索するための着信履歴検索ボタン、２３は電話帳データを検索するための電話帳検索ボタン、２４は発呼するための発呼ボタンである。
【００３３】
図２はソフトウェアにより実現される制御部１の構成を示す機能ブロック図である。
【００３４】
図２において、１０１は文字メッセージ送信モードボタン２１が押下されたか否かを判定する文字メッセージ送信モードボタン押下判定手段、１０２は文字メッセージ送信モードボタン２１が押下されたときに文字メッセージ送信モードへ移行させると共に文字メッセージの入力が完了したときに宛先入力待ち状態へ移行させる遷移手段、１０３は文字メッセージ送信モードにおいて文字メッセージの入力が完了したか否かを判定する入力完了判定手段、１０４は操作部２の着信履歴検索ボタン２２が押下されたか否かを判定する着信履歴検索ボタン押下判定手段、１０５は着信履歴検索ボタン２２が押下されたと判定したときは着信履歴データを検索すると共に着信履歴データの有無を判定する着信履歴検索手段、１０６は着信履歴データの有無判定において着信履歴データが有ると判定したときに着信履歴データ検索のための検索番号を順次に設定する検索番号設定手段、１０７は順次に設定した検索番号に対応する発呼者識別情報とを表示部３に表示させる表示手段、１０８は表示した発呼者識別情報の中に所望の発呼者識別情報が有る場合に押下される操作部２の発呼ボタン２４の押下を判定する発呼ボタン押下判定手段、１０９は現に検索中の検索番号が所定の検索番号を越えたか否かを判定する検索番号判定手段、１１０は上記文字メッセージ送信モードや上記宛先入力待ち状態を解消する解消手段、１１１は発呼ボタン２４が押下されたと判定したときに着信履歴データの示す発呼者識別情報を設定する宛先設定手段、１１２は設定した発呼者識別情報の宛先に文字メッセージを送信する送信手段、１１３は着信履歴検索ボタン２２が押下されなかったと判定した場合に電話帳検索ボタン２３が押下されたか否かを判定する電話帳検索ボタン押下判定手段、１１４は電話帳検索ボタン２３が押下されたと判定したときは電話帳データを検索し、所望の電話帳データの示す電話番号に対して文字メッセージを送信する電話帳処理手段である。
【００３５】
以上のように構成された電話装置について、その動作を図３を用いて説明する。図３は図１、図２の電話装置の動作を示すフローチャートである。
【００３６】
図３において、まず、文字メッセージ送信モードボタン押下判定手段１０１は文字メッセージ送信モードボタン２１が押下されたか否かを判定し（Ｓ１）、文字メッセージ送信モードボタン２１が押下されたと判定したときは次に遷移手段１０２は処理モードを文字メッセージ送信モードへ移行させる（Ｓ２）。次に、入力完了判定手段１０３は、文字メッセージ送信モードにおいて文字メッセージの入力が完了したか否かを判定し（Ｓ３）、文字メッセージの入力が完了したと判定したときは遷移手段１０２は処理状態を宛先入力待ち状態へ移行させる（Ｓ４）。次に、着信履歴検索ボタン押下判定手段１０４は操作部２の着信履歴検索ボタン２２が押下されたか否かを判定し（Ｓ５）、着信履歴検索ボタン２２が押下されたと判定したときは着信履歴検索手段１０５は、着信履歴データを検索し（Ｓ６）、着信履歴データの有無を判定する（Ｓ７）。着信履歴データ無しと判定したときはステップＳ５へ戻る。
【００３７】
ステップＳ７で着信履歴データ有りと判定したときは次に検索番号設定手段１０６は、着信履歴データ検索のための検索番号ｉを順次に設定する（Ｓ１０）。最初はｉ＝１と設定する。次に表示手段１０７は、順次に設定した検索番号ｉに対応する発呼者識別情報とを表示部３に表示させる（Ｓ１１）。発呼したい電話番号は現在の検索番号ｉに対応する電話番号であると操作者が判断した場合には発呼ボタン２４が押下されるが（Ｓ１２）、そうでない場合には、着信履歴検索ボタン２２が順次に押され、着信履歴検索ボタン押下判定手段１０４が着信履歴検索ボタン２２が押下されたと判定したときは（Ｓ１３）、検索番号設定手段１０６は検索番号ｉを“１”増加する（ｉ＝ｉ＋１）（Ｓ１４）。この検索番号ｉを順次に“１”ずつ増加することを、発呼ボタン２４が押下されない限り、検索番号判定手段１０９が検索番号ｉは所定の番号（最大検索番号）ｉＭＡＸを越えたと判定するまで行う（Ｓ１５）。検索番号判定手段１０９がｉ＞ｉＭＡＸとなったと判定したときはステップＳ１０へ戻る。
【００３８】
ステップＳ１２で発呼ボタン押下判定手段１０８が、表示した発呼者識別情報の中に所望の発呼者識別情報が有る場合に押下される操作部２の発呼ボタン２４が押下されたと判定したときは次に、解消手段１１０は宛先入力待ち状態を解消し（Ｓ１６）、宛先設定手段１１１は着信履歴データの示す電話番号（現在の検索番号ｉの示す着信履歴データの電話番号）を宛先として設定し（Ｓ１７）、送信手段は文字メッセージを送信し（Ｓ１８）、解消手段１１０は文字メッセージ送信モードを解消し（Ｓ１９）、この処理を終了する。
【００３９】
ステップＳ５で着信履歴検索ボタン押下判定手段１０４が着信履歴検索ボタン２２は押下されなかったと判定したときは次に電話帳検索ボタン押下判定手段１１３は、電話帳検索ボタン２３が押下されたか否かを判定し（Ｓ８）、電話帳処理手段１１４は、電話帳検索ボタン２３が押下されたと判定したときは電話帳データを検索し、電話帳データから所望の電話番号を見つけた時はその所望の電話番号を宛先として文字メッセージを送信し（Ｓ９）、この処理を終了する。ステップＳ８で電話帳検索ボタン２３は押下されなかったと判定したときはステップＳ５へ戻る。
【００４０】
以上のように本実施の形態によれば、公衆網６に接続された回線インタフェース部５と、回線インタフェース部５を介して着信した発呼者識別情報を着信履歴データとして記憶する音声通話用着信履歴記憶部４と、データの入力等を行う操作部２と、文字や図形を表示する表示部３と、全体を制御する制御部１とを有する電話装置であって、制御部１は、文字メッセージ送信モードにおいて文字メッセージの入力を完了した後に操作部４の着信履歴検索ボタン２２が押下され且つ着信履歴データが有ると判定したときは着信履歴データの示す電話番号を宛先として設定する宛先設定手段１１１と、設定した電話番号の宛先に文字メッセージを送信する送信手段１１２とを有することにより、着信した発呼者情報として発呼者識別情報を記憶し、その記憶した発呼者識別情報を必要に応じて読み出して文字メッセージの宛先として利用することができるので、着信発呼者情報を有効に活用することができ、文字メッセージ送信の迅速化を図ることができる。
【００４１】
また、公衆網６に接続された回線インタフェース部５と、回線インタフェース部５を介して着信した発呼者識別情報を着信履歴データとして着信履歴データ検索のための検索番号に対応させて記憶する音声通話用着信履歴記憶部４と、データの入力等を行う操作部２と、文字や図形を表示する表示部３と、全体を制御する制御部１とを有する電話装置であって、制御部１は、文字メッセージ送信モードにおいて文字メッセージの入力を完了した後に操作部４の着信履歴検索ボタン２２が押下されたか否かを判定する着信履歴検索ボタン押下判定手段１０４と、着信履歴検索ボタン２２が押下されたと判定したときは着信履歴データを検索すると共に着信履歴データの有無を判定する着信履歴検索手段１０５と、着信履歴データの有無判定において着信履歴データが有ると判定したときは検索番号を順次に設定する検索番号設定手段１０６と、順次に設定した検索番号に対応する発呼者識別情報を表示する表示手段１０７と、表示した発呼者識別情報番号の中に所望の発呼者識別情報が有る場合に押下される操作部２の発呼ボタン２４の押下を判定する発呼ボタン押下判定手段１０８と、発呼ボタン２４が押下されたと判定したときは着信履歴データの示す発呼者識別情報を宛先として設定する宛先設定手段１１１と、設定した電話番号の宛先に文字メッセージを送信する送信手段１１２とを有することにより、着信した発呼者情報として発呼者識別情報を記憶し、その記憶した発呼者識別情報と電話番号とを順次に表示し、所望の発呼者識別情報を見つけたときは発呼ボタンを押すことにより所望の発呼者識別情報を宛先として文字メッセージを送信することができるので、着信発呼者識別情報を表示して利用することで有効活用を図ることができ、文字メッセージ送信の迅速化を図ることができる。
【００４２】
さらに、制御部１は、操作部の文字メッセージ送信モードボタン２１が押下されたか否かを判定する文字メッセージ送信モードボタン押下判定手段１０１と、文字メッセージ送信モードボタン２１が押下されたと判定したときは文字メッセージ送信モードに移行させる遷移手段１０２と、文字メッセージ送信モードにおいて文字メッセージの入力が完了したか否かを判定する入力完了判定手段１０３とを有することにより、文字メッセージ送信モードへの移行を円滑に行うことができ、また文字メッセージを確実に入力することができる。
【００４３】
さらに、公衆網６に接続された回線インタフェース部５と、回線インタフェース部５を介して着信した発呼者識別情報を着信履歴データとして記憶する音声通話用着信履歴記憶部４と、データの入力等を行う操作部２と、文字や図形を表示する表示部３と、全体を制御する制御部１とを有する電話装置であって、制御部１は、文字メッセージ送信モードにおいて文字メッセージの入力を完了した後に操作部２の着信履歴検索ボタン２２が押下されたか否かを判定する着信履歴検索ボタン押下判定手段１０４と、電話帳検索ボタン２３が押下されたか否かを判定する電話帳検索ボタン押下判定手段１１３と、電話帳検索ボタン２３が押下されたと判定したときは電話帳データを検索し、所望の電話帳データの示す電話番号に対して文字メッセージを送信する電話帳処理手段１１４とを有することにより、着信履歴データとして存在しないと判断される発呼者情報の場合には電話帳データの検索に切り替えることができるので、宛先の電話番号を取得する可能性を高めることができる。
【００４４】
さらに、図３の電話方法の各ステップを実行するためのプログラムを記録媒体に記録することとすれば、図３の電話方法を汎用コンピュータを用いて任意の場所で任意の時間に実行することができる。
【００４５】
【発明の効果】
以上説明したように本発明の請求項１に記載の電話装置によれば、公衆網に接続された回線インタフェース部と、前記回線インタフェース部を介して着信した発呼者識別情報を着信履歴データとして記憶する音声通話用着信履歴記憶部と、データの入力等を行う操作部と、表示部と、全体を制御する制御部とを有する電話装置であって、前記制御部は、文字メッセージ送信モードにおいて文字メッセージの入力を完了した後に前記操作部の着信履歴検索ボタンが押下された場合、前記着信履歴データの示す発呼者識別情報を宛先として設定する宛先設定手段と、前記設定した発呼者識別情報の宛先に前記文字メッセージを送信する送信手段とを有することにより、着信した発呼者情報として発呼者識別情報を記憶し、その記憶した発呼者識別情報を必要に応じて読み出して文字メッセージの宛先として利用することができるので、着信発呼者識別情報を有効に活用することができ、文字メッセージ送信の迅速化を図ることができるという有利な効果が得られる。
【００４６】
請求項２に記載の電話装置によれば、公衆網に接続された回線インタフェース部と、前記回線インタフェース部を介して着信した発呼者識別情報を着信履歴データとして記憶する音声通話用着信履歴記憶部と、データの入力等を行う操作部と、表示部と、全体を制御する制御部とを有する電話装置であって、前記制御部は、文字メッセージ送信モードにおいて文字メッセージの入力を完了した後に前記操作部の着信履歴検索ボタンが押下されたか否かを判定する着信履歴検索ボタン押下判定手段と、前記着信履歴検索ボタンが押下されたと判定したときは着信履歴データを検索する着信履歴検索手段と、前記検索した着信履歴データを順次に表示する表示手段と、前記操作部の発呼ボタンの押下を判定する発呼ボタン押下判定手段と、前記発呼ボタンが押下されたと判定したときは前記着信履歴データの示す発呼者識別情報を宛先として設定する宛先設定手段と、前記設定した発呼者識別情報の宛先に前記文字メッセージを送信する送信手段とを有することにより、着信した発呼者情報として発呼者識別情報を記憶し、その記憶した発呼者識別情報を順次に表示し、所望の発呼者識別情報を見つけたときは発呼ボタンを押すことにより所望の電話番号を宛先として文字メッセージを送信することができるので、着信発呼者識別情報を表示して利用することで有効活用を図ることができ、文字メッセージ送信の迅速化を図ることができるという有利な効果が得られる。
【００４７】
請求項３に記載の電話装置によれば、請求項２に記載の電話装置において、前記制御部は、前記操作部の文字メッセージ送信モードボタンが押下されたか否かを判定する文字メッセージ送信モードボタン押下判定手段と、前記文字メッセージ送信モードボタンが押下されたと判定したときは文字メッセージ送信モードに移行させる遷移手段と、前記文字メッセージ送信モードにおいて文字メッセージの入力が完了したか否かを判定する入力完了判定手段とを有することにより、文字メッセージ送信モードへの移行を円滑に行うことができ、また文字メッセージを確実に入力することができるという有利な効果が得られる。
【００４８】
請求項４に記載の電話装置によれば、公衆網に接続された回線インタフェース部と、前記回線インタフェース部を介して着信した発呼者識別情報を着信履歴データとして記憶する音声通話用着信履歴記憶部と、データの入力等を行う操作部と、表示部と、全体を制御する制御部とを有する電話装置であって、前記制御部は、文字メッセージ送信モードにおいて文字メッセージの入力を完了した後に前記操作部の着信履歴検索ボタンが押下されたか否かを判定する着信履歴検索ボタン押下判定手段と、電話帳検索ボタンが押下されたか否かを判定する電話帳検索ボタン押下判定手段と、前記電話帳検索ボタンが押下されたと判定したときは電話帳データを検索し、所望の電話帳データの示す電話番号に対して前記文字メッセージを送信する電話帳処理手段とを有することにより、着信履歴データとして存在しないと判断される発呼者識別情報の場合には電話帳データの検索に切り替えることができるので、宛先の電話番号を取得する可能性を高めることができるという有利な効果が得られる。
【００４９】
請求項５に記載の電話方法によれば、公衆網に接続された回線インタフェース部と、前記回線インタフェース部を介して着信した発呼者識別情報を着信履歴データとして記憶する音声通話用着信履歴記憶部と、データの入力等を行う操作部と、表示部と、全体を制御する制御部とを有する電話装置における電話方法であって、文字メッセージ送信モードにおいて文字メッセージの入力を完了した後に前記操作部の着信履歴検索ボタンが押下された場合、前記着信履歴データを検索する検索ステップと、前記着信履歴データの示す発呼者識別情報を宛先として設定する宛先設定ステップと、前記設定した発呼者識別情報の宛先に前記文字メッセージを送信する送信ステップとを有することにより、着信した発呼者情報として発呼者識別情報を記憶し、その記憶した発呼者識別情報を必要に応じて読み出して文字メッセージの宛先として利用することができるので、着信発呼者識別情報を有効に活用することができ、文字メッセージ送信の迅速化を図ることができるという有利な効果が得られる。
【００５０】
請求項６に記載の電話方法によれば、公衆網に接続された回線インタフェース部と、前記回線インタフェース部を介して着信した発呼者識別情報を着信履歴データとして記憶する音声通話用着信履歴記憶部と、データの入力等を行う操作部と、表示部と、全体を制御する制御部とを有する電話装置における電話方法であって、文字メッセージ送信モードにおいて文字メッセージの入力を完了した後に前記操作部の着信履歴検索ボタンが押下されたか否かを判定する着信履歴検索ボタン押下判定ステップと、前記着信履歴検索ボタンが押下されたと判定したときは着信履歴データを検索する着信履歴検索ステップと、前記検索した着信履歴データを順次表示する表示ステップと、前記表示した発呼者識別情報の中に所望の発呼者識別情報が有る場合に押下される前記操作部の発呼ボタンの押下を判定する発呼ボタン押下判定ステップと、前記発呼ボタンが押下されたと判定したときは前記着信履歴データの示す発呼者識別情報を宛先として設定する宛先設定ステップと、前記設定した発呼者識別情報の宛先に前記文字メッセージを送信する送信ステップとを有することにより、着信した発呼者情報として発呼者識別情報を記憶し、その記憶した発呼者識別情報を順次に表示し、所望の発呼者識別情報を見つけたときは発呼ボタンを押すことにより所望の発呼者識別情報を宛先として文字メッセージを送信することができるので、着信発呼者識別情報を表示して利用することで有効活用を図ることができ、文字メッセージ送信の迅速化を図ることができるという有利な効果が得られる。
【００５１】
請求項７に記載の電話方法によれば、請求項６に記載の電話方法において、前記操作部の文字メッセージ送信モードボタンが押下されたか否かを判定する文字メッセージ送信モードボタン押下判定ステップと、前記文字メッセージ送信モードボタンが押下されたと判定したときは文字メッセージ送信モードに移行させる遷移ステップと、前記文字メッセージ送信モードにおいて文字メッセージの入力が完了したか否かを判定する入力完了判定ステップとを有することにより、文字メッセージ送信モードへの移行を円滑に行うことができ、また文字メッセージを確実に入力することができるという有利な効果が得られる。
【００５２】
請求項８に記載の電話方法によれば、公衆網に接続された回線インタフェース部と、前記回線インタフェース部を介して着信した発呼者識別情報を着信履歴データとして記憶する音声通話用着信履歴記憶部と、データの入力等を行う操作部と、表示部と、全体を制御する制御部とを有する電話装置における電話方法であって、文字メッセージ送信モードにおいて文字メッセージの入力を完了した後に前記操作部の着信履歴検索ボタンが押下されたか否かを判定する着信履歴検索ボタン押下判定ステップと、電話帳検索ボタンが押下されたか否かを判定する電話帳検索ボタン押下判定ステップと、前記電話帳検索ボタンが押下されたと判定したときは電話帳データを検索し、所望の電話帳データの示す電話番号に対して前記文字メッセージを送信する電話帳処理ステップとを有することにより、着信履歴データとして存在しないと判断される発呼者識別情報の場合には電話帳データの検索に切り替えることができるので、宛先の電話番号を取得する可能性を高めることができるという有利な効果が得られる。
【００５３】
請求項９に記載の記録媒体によれば、請求項５乃至８のいずれか１に記載の電話方法の各ステップを実行するためのプログラムを記録したことにより、請求項５乃至８のいずれか１に記載の電話方法を汎用コンピュータを用いて任意の場所で任意の時間に実行することができるという有利な効果が得られる。
【図面の簡単な説明】
【図１】本発明の実施の形態１による電話装置を示すブロック図
【図２】ソフトウェアによって実現される図１の制御部の構成を示す機能ブロック図
【図３】図１、図２の電話装置の動作を示すフローチャート
【符号の説明】
１　制御部
２　操作部
３　表示部
４　音声通話用着信履歴記憶部
５　回線インタフェース部（回線Ｉ／Ｆ部）
６　公衆網
２１　文字メッセージ送信モードボタン
２２　着信履歴検索ボタン
２３　電話帳検索ボタン
２４　発呼ボタン
１０１　文字メッセージ送信モードボタン押下判定手段
１０２　遷移手段
１０３　入力完了判定手段
１０４　着信履歴検索ボタン押下判定手段
１０５　着信履歴検索手段
１０６　検索番号設定手段
１０７　表示手段
１０８　発呼ボタン押下判定手段
１０９　検索番号判定手段
１１０　解消手段
１１１　宛先設定手段
１１２　送信手段
１１３　電話帳検索ボタン押下判定手段
１１４　電話帳処理手段
【図１】
2004023702.tif 000003
【図２】
2004023702.tif 000004
【図３】
2004023702.tif 000005